(57)【要約】【課題】底面を有する筐体内に発光体を収容してなる照明器具を、簡単な操作で取付器具に対して着脱可能とする。【解決手段】照明器具１の筐体１０内に設けたスライド部材２２を付勢手段２６により直線方向内の一方向に付勢し、このスライド部材２２には張出部材２４と、この張出部材２４から上記一方向に延びる係合部２５とを一体的に設け、スライド部材２２は操作部２３により上記付勢に抗する方向に移動可能とする。一方取付器具５には、筐体１０の底面１１と対面する表面５０と、筐体１０の前記直線方向の位置を規定する位置規定部５１と、上記表面５０から取付器具５の内部側に延びて、張出部材２４を移動可能に受け入れる張出部材通過穴５２と、この張出部材通過穴５２から前記一方向に延びて係合部２５を収容する係合穴５３とを設ける。この構造により、係合部２５を係合穴５３に係合させて、照明器具１の脱落を防止する。【選択図】図１
2014160602.tif 000002
【特許請求の範囲】
【請求項１】
底面を有する筐体と、この筐体の中に配置された発光体とを備えてなる照明器具を前記底面の側から取付器具に取り付ける構造であって、
前記照明器具において、
前記底面と略平行な直線方向に移動自在にして前記筐体内に保持されたスライド部材と、
このスライド部材を前記直線方向内の一方向に付勢する付勢手段と、
前記スライド部材と一体的に形成された、該スライド部材を前記付勢に抗する方向に移動操作するための操作部と、
前記スライド部材と一体的に移動可能に形成されて、前記底面に形成された孔から突出した張出部材と、
この張出部材から前記底面と略平行な方向に延びる状態に形成された係合部と、
が設けられ、
前記取付器具において、
前記筐体の底面と対面する表面と、
前記筐体の、前記直線方向内の位置を規定する位置規定部と、
前記表面から取付器具の内部側に延びて、前記張出部材を前記係合部と共に前記移動が可能に受け入れると共に、前記一方向に移動した後の前記係合部と係合して該係合部の前記表面側への移動を阻止する面を有する部材通過穴と、
が設けられてなる照明器具の取付構造。
【請求項２】
底面を有する筐体と、この筐体の中に配置された発光体とを備えてなる照明器具を前記底面の側から取付器具に取り付ける構造であって、
前記照明器具において、
前記底面と略平行な直線方向に移動自在にして前記筐体内に保持されたスライド部材と、
このスライド部材を前記直線方向内の一方向に付勢する付勢手段と、
前記スライド部材と一体的に形成された、該スライド部材を前記付勢に抗する方向に移動操作するための操作部と、
前記スライド部材と一体的に移動可能に形成されて、前記底面に形成された孔から突出し、前記一方向を向く押圧面を有する張出部材と、
この張出部材から前記底面と略平行な方向に延びる状態に形成された係合部と、
が設けられ、
前記取付器具において、
前記筐体の底面と対面する表面と、
前記表面から取付器具の内部側に延びて、前記張出部材を前記係合部と共に前記移動が可能に受け入れると共に、前記一方向に対面して前記押圧面と接し得る被押圧面および、前記一方向に移動した後の前記係合部と係合して該係合部の前記表面側への移動を阻止する面を有する部材通過穴と、
が設けられ、
前記照明器具および前記取付器具に、互いに接して、照明器具が取付器具に対して前記一方向と反対方向に移動することを阻止する移動阻止機構が設けられてなる照明器具の取付構造。
【請求項３】
前記操作部が、筐体の前面から露出していることを特徴とする請求項１または２記載の照明器具の取付構造。
【請求項４】
前記操作部が筐体の内側に配置されて、この筐体から露出していないことを特徴とする請求項１または２記載の照明器具の取付構造。
【請求項５】
前記筐体の、前記直線方向と直交する方向内の位置を規定する横位置規定部が設けられていることを特徴とする請求項１から４いずれか１項記載の照明器具の取付構造。
【請求項６】
前記係合部が、前記底面から遠い側の端面が前記一方向と鋭角をなす傾斜面とされて、前記一方向に向かって先細りの形状とされていることを特徴とする請求項１から５いずれか１項記載の照明器具の取付構造。
【請求項７】
前記照明器具の筐体が、前記底面から立ち上がって前記直線方向に対して略平行に延びる一側面、および前記底面から立ち上がって前記一側面と略平行に延びる他側面を有しており、
前記スライド部材、付勢手段、操作部、張出部材および係合部からなる組が、前記一側面の近傍および前記他側面の近傍に各々配設されていることを特徴とする請求項１から６いずれか１項記載の照明器具の取付構造。
【請求項８】
１つの前記スライド部材に対して、前記張出部材および係合部の組が複数形成され、
前記部材通過穴が、前記張出部材および係合部の各組に対して１つずつ形成されていることを特徴とする請求項１から７いずれか１項記載の照明器具の取付構造。
【請求項９】
前記取付器具の表面に、照明器具の発光体を点灯させる駆動電流および／または該点灯を制御する信号電流を給電する給電端子が設けられ、
前記照明器具の底面に、該照明器具が取付器具に取り付けられたとき前記給電端子と電気的に接続する受電端子が設けられていることを特徴とする請求項１から８いずれか１項記載の照明器具の取付構造。
【請求項１０】
前記照明器具および取付器具の一方に、照明器具が取付器具に取り付けられた状態下で他方との間で圧縮されて照明器具を取付器具から離れる方向に付勢する離間用付勢手段が設けられていることを特徴とする請求項１から９いずれか１項記載の照明器具の取付構造。
【発明の詳細な説明】
【技術分野】
【０００１】
本発明は、照明器具を取付器具に取り付ける構造に関するものである。
【背景技術】
【０００２】
従来、例えば有機ＥＬ（エレクトロルミネッセンス）パネル等の発光体を薄型の筐体内に収めてなる照明器具が広く実用に供されている。その種の薄型の照明器具は、例えば特許文献１に示されているように、建物の壁面や天井面等に１次元あるいは２次元方向に並べてマトリクス状に配設し、発光面積が極めて大きい面状光源や、あるいは表示装置を構成するように用いられることもある。
【先行技術文献】
【特許文献】
【０００３】
【特許文献１】特開2009-218149号公報
【発明の概要】
【発明が解決しようとする課題】
【０００４】
ところで多くの照明器具は、建物の壁面や天井面等に取り付けるに当たっては、壁面等に固定された取付器具に取り外し可能に取り付けられるのが一般的であり、上記薄型の照明器具に対してもそのような取付構造が適用されることが多い。このような取付構造を薄型の照明器具に適用する場合、特に複数の照明器具がマトリクス状に配設される場合は、各照明器具を基本的にその前面（光が取り出される面）側から押し込んだり、引いたりする操作だけで簡単に着脱自在にすることが望まれる。すなわち、複数の照明器具がマトリクス状に密に配設されていると、ある一つの照明器具を取り付けたり、あるいは取り外したりする際、それに隣接して別の照明器具が横に存在するため、照明器具を横方向に大きく動かすような操作は困難になるからである。
【０００５】
以上、特に薄型の照明器具がマトリクス状に配置される場合のことについて説明したが、それに限らず、底面を有する筐体内に発光体を収容してなる照明器具を底面側から取付器具に取り外し自在に取り付ける場合は、照明器具を簡単な操作、つまり基本的に前面側から押し込んだり、引いたりする操作だけで簡単に着脱自在となっていれば、照明器具の取り付け作業や取り外し作業が極めて容易なものとなる。
【０００６】
そこで本発明は、底面を有する筐体内に発光体を収容してなる照明器具を、簡単な操作で取付器具に対して着脱することを可能にする、照明器具の取付構造を提供することを目的とする。
【課題を解決するための手段】
【０００７】
本発明による第一の照明器具の取付構造は、
底面を有する筐体と、この筐体の中に配置された発光体とを備えてなる照明器具を前記底面の側から取付器具に取り付ける構造であって、
前記照明器具において、
前記底面と略平行な直線方向に移動自在にして前記筐体内に保持されたスライド部材と、
このスライド部材を前記直線方向内の一方向に付勢する付勢手段と、
前記スライド部材と一体的に形成された、該スライド部材を前記付勢に抗する方向に移動操作するための操作部と、
前記スライド部材と一体的に移動可能に形成されて、前記底面に形成された孔から突出した張出部材と、
この張出部材から前記底面と略平行な方向に延びる状態に形成された係合部と、
が設けられ、
前記取付器具において、
前記筐体の底面と対面する表面と、
前記筐体の、前記直線方向内の位置を規定する位置規定部と、
前記表面から取付器具の内部側に延びて、前記張出部材を前記係合部と共に前記移動が可能に受け入れると共に、前記一方向に移動した後の前記係合部と係合して該係合部の前記表面側への移動を阻止する面を有する部材通過穴と、
が設けられてなるものである。
【０００８】
なお上記の「底面と略平行」とは、底面と若干の角度をなしていても、その角度が、係合部と係合穴との係合、解除が可能な程度のものである場合は、そのような構成も含むものとする。
【０００９】
また本発明による第二の照明器具の取付構造は、
底面を有する筐体と、この筐体の中に配置された発光体とを備えてなる照明器具を前記底面の側から取付器具に取り付ける構造であって、
前記照明器具において、
前記底面と略平行な直線方向に移動自在にして前記筐体内に保持されたスライド部材と、
このスライド部材を前記直線方向内の一方向に付勢する付勢手段と、
前記スライド部材と一体的に形成された、該スライド部材を前記付勢に抗する方向に移動操作するための操作部と、
前記スライド部材と一体的に移動可能に形成されて、前記底面に形成された孔から突出し、前記一方向を向く押圧面を有する張出部材と、
この張出部材から前記底面と略平行な方向に延びる状態に形成された係合部と、
が設けられ、
前記取付器具において、
前記筐体の底面と対面する表面と、
前記表面から取付器具の内部側に延びて、前記張出部材を前記係合部と共に前記移動が可能に受け入れると共に、前記一方向に対面して前記押圧面と接し得る被押圧面および、前記一方向に移動した後の前記係合部と係合して該係合部の前記表面側への移動を阻止する面を有する部材通過穴と、
が設けられ、
前記照明器具および前記取付器具に、互いに接して、照明器具が取付器具に対して前記一方向と反対方向に移動することを阻止する移動阻止機構が設けられてなるものである。
【００１０】
なお上記の「底面と略平行（２箇所）」とは、底面と若干の角度をなしていても、その角度が、係合部と係合穴との係合、解除が可能な程度のものである場合は、そのような構成も含むものとする。
【００１１】
また上記の「一方向を向く押圧面」とは、押圧面が前記一方向と若干の角度をなす方向を向いていても、その角度が、前記被押圧面の押圧を妨げない程度のものである場合は、そのような押圧面も含むものとする。
【００１２】
本発明による照明器具の取付構造において、前記操作部は、筐体の前面から露出していることが望ましい。あるいはこの操作部は、筐体の内側に配置されて、筐体から露出していないように構成されても構わない。その場合は、筐体の前面部分等を筐体本体に対して着脱可能としておき、照明器具を取り付けたり取り外したりする場合は、その前面部分等を筐体本体から外し、その状態で操作部を操作するようにすればよい。
【００１３】
また本発明による照明器具の取付構造においては、前記筐体の、前記直線方向と直交する方向内の位置を規定する横位置規定部が設けられていることが望ましい。
【００１４】
また本発明による照明器具の取付構造において、前記係合部は、前記底面から遠い側の端面が前記一方向と鋭角をなす傾斜面とされて、前記一方向に向かって先細りの形状とされていることが望ましい。
【００１５】
また本発明による照明器具の取付構造において、
前記照明器具の筐体は、前記底面から立ち上がって前記直線方向に対して略平行に延びる一側面、および前記底面から立ち上がって前記一側面と略平行に延びる他側面を有しており、
前記スライド部材、付勢手段、操作部、張出部材および係合部からなる組が、前記一側面の近傍および前記他側面の近傍に各々配設されていることが望ましい。
【００１６】
また本発明による照明器具の取付構造においては、
１つの前記スライド部材に対して、前記張出部材および係合部の組が複数形成され、
前記部材通過穴が、前記張出部材および係合部の各組に対して１つずつ形成されていることが望ましい。
【００１７】
さらに本発明による照明器具の取付構造においては、
前記取付器具の表面に、照明器具の発光体を点灯させる駆動電流および／または該点灯を制御する信号電流を給電する給電端子が設けられ、
前記照明器具の底面に、該照明器具が取付器具に取り付けられたとき前記給電端子と電気的に接続する受電端子が設けられていることが望ましい。
【００１８】
さらに本発明による照明器具の取付構造においては、照明器具および取付器具の一方に、照明器具が取付器具に取り付けられた状態下で他方との間で圧縮されて照明器具を取付器具から離れる方向に付勢する離間用付勢手段が設けられていることが望ましい。
【発明の効果】
【００１９】
本発明の第一の照明器具の取付構造によれば、
照明器具において、
前記底面と略平行な直線方向に移動自在にして前記筐体内に保持されたスライド部材と、
このスライド部材を前記直線方向内の一方向に付勢する付勢手段と、
前記スライド部材と一体的に形成された、該スライド部材を前記付勢に抗する方向に移動操作するための操作部と、
前記スライド部材と一体的に移動可能に形成されて、前記底面に形成された孔から突出した張出部材と、
この張出部材から前記底面と略平行な方向に延びる状態に形成された係合部と、
が設けられる一方、
取付器具において、
前記筐体の底面と対面する表面と、
前記筐体の、前記直線方向内の位置を規定する位置規定部と、
前記表面から取付器具の内部側に延びて、前記張出部材を前記係合部と共に前記移動が可能に受け入れると共に、前記一方向に移動した後の前記係合部と係合して該係合部の前記表面側への移動を阻止する面を有する部材通過穴と、
が設けられているので、筐体の前記直線方向内の位置を位置規定部によって規定する一方、係合部と部材通過穴との係合により照明器具の脱落を防止して、操作部の簡単な操作のみで照明器具を取付器具に対して着脱可能となる。
【００２０】
また本発明の第二の照明器具の取付構造によれば、
照明器具において、
前記底面と略平行な直線方向に移動自在にして前記筐体内に保持されたスライド部材と、
このスライド部材を前記直線方向内の一方向に付勢する付勢手段と、
前記スライド部材と一体的に形成された、該スライド部材を前記付勢に抗する方向に移動操作するための操作部と、
前記スライド部材と一体的に移動可能に形成されて、前記底面に形成された孔から突出し、前記一方向を向く押圧面を有する張出部材と、
この張出部材から前記底面と略平行な方向に延びる状態に形成された係合部と、
が設けられる一方、
取付器具において、
前記筐体の底面と対面する表面と、
前記表面から取付器具の内部側に延びて、前記張出部材を前記係合部と共に前記移動が可能に受け入れると共に、前記一方向に対面して前記押圧面と接し得る被押圧面および、前記一方向に移動した後の前記係合部と係合して該係合部の前記表面側への移動を阻止する面を有する部材通過穴と、
が設けられ、
前記照明器具および前記取付器具に、互いに接して、照明器具が取付器具に対して前記一方向と反対方向に移動することを阻止する移動阻止機構が設けられているので、筐体の前記直線方向内の位置を張出部材と移動阻止機構とによって規定する一方、係合部と部材通過穴との係合により照明器具の脱落を防止して、操作部の簡単な操作のみで照明器具を取付器具に対して着脱可能となる。
【図面の簡単な説明】
【００２１】
【図１】本発明の一実施形態による照明器具の取付構造を示す一部破断側面図
【図２】図１に示した照明器具の前面図
【図３】図１に示した照明器具の底面図
【図４】上記取付構造を構成するスライド部材を示す斜視図
【図５】図１の取付構造の一部を拡大して示す断面図
【図６】図１に示した取付器具の前面図
【図７】スライド部材の別の例を示す斜視図
【図８】部材通過穴の別の例を示す斜視図
【図９】本発明の別の実施形態による照明器具の取付構造の一部を示す一部破断側面図
【発明を実施するための形態】
【００２２】
以下、図面を参照して本発明の実施形態を詳細に説明する。図１は、本発明の一実施形態による照明器具の取付構造を示す一部破断側面図である。この取付構造は、一例として概略薄い直方体状の外形形状を有する照明器具１を立てた状態、つまり薄い側面が上下に延びる状態で取付器具５に取り付けるためのものである。なお図２および図３にはそれぞれ照明器具１の前面形状、底面形状を示し、また図６には取付器具５の前面形状を示している。
【００２３】
まず図１、２および３を参照して、照明器具１について説明する。この照明器具１は基本的に、概略薄い直方体状に形成された筐体１０内に、例えば有機ＥＬ（エレクトロルミネッセンス）パネル等の発光体１５を収容して構成されている。筐体１０は例えば透明あるいは白色の合成樹脂から形成され、底面１１と、この底面１１から立ち上がった一側面１２および他側面１３とを有している。これらの一側面１２および他側面１３は互いに平行に形成され、照明器具１が取付器具５に取り付けられた状態では各々左側面と右側面となる。そしてこれらの一側面１２と他側面１３との間を延びる、互いに平行とされた上側面３２および下側面３３が形成され、それら４つの側面の上に前面１４が形成されている。発光体１５からの光は、この前面１４側から発せられる。
【００２４】
なお上記４つの側面１２、１３、３２および３３の下部には、それらの側面と一体的にして、底面１１よりも突出した薄い枠体１６が形成されている。この枠体１６は、底面１１の４辺を囲む状態に形成されている。
【００２５】
筐体１０の内部には、上記一側面１２および他側面１３の各近傍において直線方向（図中の上下方向）に延びる溝２１が形成され、これらの溝２１の中には該溝２１に沿って移動自在とされたスライド部材２２が収容されている。図４はこのスライド部材２２の全体形状を示すものであり、以下、この図４も参照して説明を続ける。各スライド部材２２には、そこから突出した操作部２３が一体的に形成されている。また各スライド部材２２には、操作部２３と反対側に突出した２つの張出部材２４が一体的に形成されており、各張出部材２４の先端には横方向に延びる係合部２５が形成されている。
【００２６】
図１中で各スライド部材２２の下側において溝２１内には、圧縮コイルバネ２６が配置されている。そこで各スライド部材２２はこの圧縮コイルバネ２６により、上記直線方向内の一方向である矢印Ａ方向に付勢されている。圧縮コイルバネ２６は、本発明における付勢手段を構成するものであるが、付勢手段としてはこのような圧縮コイルバネに限らず、引っ張りコイルバネや、板バネ等その他の公知の手段が全て適用可能である。なお上記係合部２５は、張出部材２４の先端から上記付勢の方向（矢印Ａ方向）と同じ方向に延びている。そしてこの係合部２５は、矢印Ａ方向に延びて筐体１０の底面１１側を向く内面２５ａと、底面１１から遠い側に有って内面２５ａに対して鋭角をなして傾斜した端面２５ｂとを有している。
【００２７】
図２に示されるように筐体１０の前面１４には、上記矢印Ａ方向に延びる２つの長孔１４ａ、１４ｂが形成されており、各スライド部材２２の操作部２３はこれらの長孔１４ａ、１４ｂから筐体外に若干飛び出している。したがって照明器具１の取付作業者は、操作部２３を指先で操作することにより、圧縮コイルバネ２６による付勢に抗して、各スライド部材２２を図１、２中で下方に移動させることができる。
【００２８】
図３に示されるように筐体１０の底面１１には、一側面１２の近傍位置において矢印Ａ方向に所定間隔を置いて２つの長孔１１ａが形成されており、また他側面１３の近傍位置にも、矢印Ａ方向に所定間隔を置いて２つの長孔１１ｂが形成されている。１つのスライド部材２２と一体的に形成された２つの張出部材２４は、上記２つの長孔１１ａから筐体外に飛び出しており、別のスライド部材２２と一体的に形成された２つの張出部材２４も、上記２つの長孔１１ｂから筐体外に飛び出している。
【００２９】
なお、図３中で上方側にある２つの長孔１１ａ、１１ｂの周囲部分はそれぞれ、概略Ｔ字状とされて底面１１から若干低くなった凹部４１、４２とされ、図３中で下方側にある２つの長孔１１ａ、１１ｂの周囲部分はそれぞれ、縦長の長方形状とされて底面１１から若干低くなった凹部４３、４４とされている。
【００３０】
また図３に示されるように筐体１０の底面１１には、発光体１５を点灯させる駆動電流を取付器具５側から受電するための受電端子１７および１９と、発光体１５の点灯を制御する信号電流を取付器具５側から受電するための受電端子１８および２０が設けられている。さらにこの底面１１には、四隅のそれぞれに近い位置に配された４つの丸穴３４が設けられ、各丸穴３４の中には離間用付勢手段としてのコイルバネ３５が固定されている。これらのコイルバネ３５による作用については後述する。
【００３１】
図６は、取付器具５の前面形状を示すものであり、以下、この図６も参照して説明を続ける。取付器具５は図６に示されるように概略四角形の表面５０を有しており、この表面５０の周囲には４つの側面５１が形成されている。なおこの側面５１は後述するように、筐体１０の取付位置を規定する位置規定部となるように構成することも可能である。
【００３２】
上記表面５０を含む部分は例えば合成樹脂から形成され、そこには張出部材通過穴５２が４つ形成されている。これらの張出部材通過穴５２は各々表面５０から取付器具５の内部側に向かって延び、その先端は矢印Ａ方向に延びる係合穴５３に繋がっている。各張出部材通過穴５２の、表面５０と平行な面内の断面形状は、上下方向に長い長方形状とされており、その中に挿入された張出部材２４が係合部２５と共に、後述のように矢印Ａ方向およびその反対方向に移動することを許容する。なお本実施形態では、張出部材通過穴５２と係合穴５３とにより、本発明における部材通過穴が構成されている。
【００３３】
また上記表面５０には、照明器具１が取付器具５に取り付けられた際に、照明器具１が取り付け方向、つまり取付器具５との距離が変わる方向にガタ付くことを防止し、また照明器具１を取付器具５から取り外す作業を容易にするための円柱状の突起５４が４つ形成されている。この突起５４の作用については後に詳しく説明する。
【００３４】
また上記表面５０には、照明器具１がその底面１１側から取付器具５に取り付けられた際に、該底面１１に形成されている前記受電端子１７および１９と各々接触する駆動電流給電端子５７および５９と、前記受電端子１８および２０と各々接触する信号電流給電端子５８および６０とが設けられている。なお給電端子５７、５８、５９および６０は、それぞれ受電端子との接触を確実にするために、図示外のバネ等の付勢手段により、外方つまり図６中で手前側に付勢されている。
【００３５】
なお４つの張出部材通過穴５２のうち、図６中で上方側にある２つの張出部材通過穴５２の周囲部分は、概略Ｔ字状とされて表面５０から若干高くなった凸部６１、６２とされ、図６中で下方側にある２つの張出部材通過穴５２の周囲部分は、縦長の長方形状とされて表面５０から若干高くなった凸部６３、６４とされている。これらの凸部６１〜６４は後述するように、筐体１０の上下方向（つまり矢印Ａ方向を含む直線方向）内の位置を規定する位置規定部として作用する。
【００３６】
また上記表面５０には、外部から駆動電流を受けるための配線が接続されるコネクタ７０および７１、外部から信号電流を受けるための配線が接続されるコネクタ７２および７３、取付器具５を壁面等に取り付けるための取付孔７４〜７７、一端が筐体１０側に固定される照明器具落下防止用紐（図示せず）の他端が取り付けられる紐取付部７８、取付器具５の上下取付方向を示す表示７９および８０、上述した配線を通すための配線通過孔８１等が設けられている。さらに取付器具５の内部には、上記駆動電流や信号電流用の回路基板（図示せず）が収容されている。
【００３７】
以下、照明器具１を取付器具５に取り付ける操作について説明する。図１は照明器具１が取付器具５に取り付けられた後の状態を示しており、また図５は、この状態下にある張出部材２４の周辺部分を拡大して示している。なお図５は、筐体１０の一側面１２側の長孔１１ａを通過している張出部材２４を示しており、以下の説明はこの部分について行うが、他側面１３側の長孔１１ｂを通過している張出部材２４についても同様である。
【００３８】
図１および５に示す状態になる前の照明器具１、つまり取付器具５から外されている照明器具１において、２つのスライド部材２２は圧縮コイルバネ２６で付勢されることにより、矢印Ａ方向の最前方位置（図中では最上方位置）にある。この最前方位置は、図５に示す張出部材２４の前端面２４ａが、長孔１１ａの内壁（図中上側の壁面）に当接することにより規定される。なおその代わりに、図１に示すスライド部材２２の上端が溝２１の上端面に当接することによって、スライド部材２２の最前方位置が規定されるようにしてもよい。
【００３９】
以上の状態にある照明器具１は、まず、例えば両側面１２および１３を作業者の両手で把持する等により、筐体１０の四角形の枠体１６が、取付器具５の４つの側面５１を取り囲むようになる位置に設定される。そして照明器具１をそのまま取付器具５の方に押し込むと、張出部材２４の先端に有る係合部２５の傾斜した端面２５ｂが、取付器具５の張出部材通過穴５２の内壁５２ａ（図中上側の壁面）の外縁部に当たって押されることにより、係合部２５および張出部材２４が圧縮コイルバネ２６の付勢に抗して下方に移動する。それにより係合部２５は上記張出部材通過穴５２の内壁を乗り越え、乗り越えたところで圧縮コイルバネ２６の付勢により上方つまり矢印Ａ方向に移動し、図５に示すように係合穴５３の中に入り込む。こうして４つの係合部２５がそれぞれ係合穴５３に係合した状態になると、照明器具１に対して取付器具５から離す方向の外力が作用しても、係合部２５の内面２５ａが係合穴５３の内壁５３ａと当接するので、照明器具１が取付器具５から離脱することが防止される。なお上記内壁５３ａは、矢印Ａ方向に移動した後の係合部２４と係合して該係合部２４が表面５０側へ移動することを阻止する面となる。
【００４０】
なお、こうして照明器具１が取付器具５に取り付けられるとき、それら両者の相対位置が正しければ、取付器具５の凸部６１、６２は照明器具１の筐体１０に形成されている概略Ｔ字状の凹部４１、４２と組み合い、また凸部６３、６４は同じく筐体１０に形成されている長方形状の凹部４３、４４と組み合うようになる。取付器具５に対して照明器具１が不正な向きで取り付けられようとすると、上述の組み合いがなされず、筐体１０を所定位置まで押し込むことが不可能になるので、不正な向きで照明器具１が取り付けられることが防止される。そして凸部６１、６２、６３および６４が、それぞれ凹部４１、４２、４３および４４と組み合うと、照明器具１の筐体１０は上下方向（矢印Ａ方向を含む直線方向）内に移動できなくなり、該筐体１０の上下方向位置が規定される。
【００４１】
また、照明器具１が正しい向きで取付器具５に取り付けられると、取付器具５の４つの突起５４がそれぞれ照明器具１の筐体１０の丸穴３４に入り込み、該丸穴３４内に配設されているコイルバネ３５を圧縮する。そこで筐体１０は取付器具５から離れる方向に押され、係合部２５の内面２５ａが係合穴５３の内壁５３ａに当接する位置に保持される。それにより、照明器具１が取り付け方向、つまり取付器具５との距離が変わる方向にガタ付くことが防止される。
【００４２】
また上記４つの突起５４は、特にその外径が丸穴３４の内径より僅かに小さいだけの値に設定されている場合は、上記凸部６１〜６４と共に、筐体１０の上下方向位置を規定する位置規定部としても作用することになる。この場合、照明器具１の張出部材２４および係合部２５は、基本的に照明器具１の脱落を防止するだけの作用を果たす。
【００４３】
また、照明器具１が正しい向きで取付器具５に取り付けられると、筐体１０の底面１１に形成されている受電端子１７および１９が各々取付器具５の駆動電流給電端子５７および５９と接触し、また、同じく底面１１に形成されている受電端子１８および２０が各々取付器具５の信号電流給電端子５８および６０と接触して、取付器具５から照明器具１に給電がなされ得る状態となる。なお前述した通り、給電端子５７、５８、５９および６０はそれぞれ外方に向けて付勢されているので、それぞれ受電端子１７、１８、１９および２０との接触が確実なものとなる。
【００４４】
照明器具１を取付器具５から取り外す際には、例えば両側面１２および１３を作業者の両手で把持しながら、各手の親指により２つの操作部２３がそれぞれ下方、つまり矢印Ａ方向と反対方向に移動操作される。それにより２つのスライド部材２２が下方に移動して、４つの係合部２５がそれぞれ係合穴５３から下方に抜け出すので、そのまま照明器具１を取付器具５から引き離せば、照明器具１を取り外すことができる。
【００４５】
なお本実施形態においては、照明器具１が取付器具５に取り付けられているとき、前述したように圧縮されているコイルバネ３５の作用により、筐体１０は取付器具５から離れる方向に押されている。したがって、上記のようにして係合部２５と係合穴５３との係合が解除されると、筐体１０は取付器具５から弾力的に離れて、筐体１０の底面１１と取付器具５の表面５０との間に若干の隙間ができる。そこで、この隙間に指先を入れることにより、照明器具１を取付器具５から簡単に取り外せるようになる。
【００４６】
なお、照明器具１を取付器具５に取り付ける際にも、上述のようにして２つの操作部２３をそれぞれ作業者が下方に移動させた上で照明器具１を取付器具５側に押し込み、筐体１０の底面１１が取付器具５の表面５０に接する所定位置まで達したところで操作部２３を離すようにしてもよい。このような操作を必須にするのであれば、係合部２５の端面２５ｂは特に傾斜面とされなくてもよい。
【００４７】
前述したように操作部２３は、筐体１０の内側に配置されて、筐体１０から露出していないように構成されても構わない。その場合は、筐体１０の前面部分等を筐体本体に対して着脱可能としておき、照明器具１を取り付けたり取り外したりする場合は、その前面部分等を筐体本体から外し、その状態で操作部２３を操作するようにすればよい。そうする場合でも上記係合部２５の端面２５ｂを傾斜面としておけば、照明器具１を取り付ける際には、操作部２３の操作は不要とすることができるので、上記前面部分等を筐体本体から外さなくても済むようになる。
【００４８】
また係合部２５は図７に示すように、底面１１に対して平行で、矢印Ａ方向に対して横方向を向く状態に形成されてもよい。この場合、取付器具５には図８に示すように、表面５０にＬ字状に開口して取付器具５の内部側に延びる張出部材通過穴１５２と、内壁１５３ａを有する係合穴１５３とからなる部材通過穴を設ければよい。なお上記内壁１５３ａは、矢印Ａ方向に移動した後の係合部２４と係合して該係合部２４が表面５０側へ移動することを阻止する面となる。
【００４９】
なお本実施形態では、側面５１と枠体１６との間に若干の隙間ができるようにそれらの寸法が設定されているが、それら両者が緊密に組み合うようにそれぞれの寸法を設定すれば、照明器具１の上下方向（矢印Ａ方向を含む直線方向）並びにそれと直交する方向の取付位置を、取付器具５の４つの側面５１が照明器具１の枠体１６に内側から当接することによって規定することも可能である。つまりそのようにした場合は側面５１が、筐体１０の上下方向取付位置を規定する位置規定部としても作用することになる。
【００５０】
また、上記側面５１と枠体１６との間に若干の隙間ができるようにそれらを形成する場合は、照明器具１の上下方向取付位置を張出部材２４を用いて規定することも可能である。すなわちその場合は、張出部材２４の前端面２４ａが、取付器具５の張出部材通過穴５２の内壁５２ａを押圧するようにし、また、枠体１６の上辺部分の内面１６ａと、取付器具５の上辺部分の側面５１とが接するようにする。こうすることにより照明器具１は、枠体１６の上辺部分と張出部材２４とによって取付器具５の一部を上下から挟持する形となって、その上下方向取付位置が規定される。すなわちこの場合は、枠体１６の上辺部分およびそこに接する部分の側面５１が、照明器具１が取付器具５に対して矢印Ａ方向と反対方向に移動することを阻止する移動阻止機構を構成することになる。
【００５１】
またその場合は、枠体１６の上辺部分が本発明における保持部材を構成して、その内面１６ａが当接面となり、そして張出部材２４の前端面２４ａが押圧面、張出部材通過穴５２の内壁５２ａが被押圧面となる。
【００５２】
なお、以上のようにして照明器具１の上下方向取付位置を規定する場合は、枠体１６の下辺部分は省かれても構わない。さらに、取り付けられた照明器具１が左右方向に移動し難い場合や、左右方向に多少移動しても問題無いような場合は、枠体１６の右辺部分および左辺部分が省かれても構わない。さらに、照明器具１の取付位置を規定する部材は、上記の枠体１６の他、短い凸部等から構成されてもよい。
【００５３】
また照明器具１が取付器具５に対して矢印Ａ方向と反対方向に移動することを阻止する移動阻止機構は、図９に示すように、取付器具５側に形成した凸部９０と、照明器具１の筐体１０の下側面３３とで構成することもできる。
【００５４】
また以上の実施形態では、照明器具１が立てた状態で取付器具５に取り付けられるようにしているが、上に説明した通りの機構をそのまま用いて、照明器具１を水平な状態で取付器具５に取り付けることも可能である。そうする場合照明器具１は、下向きつまりその前面１４が下を向く状態とされてもよいし、あるいはそれとは逆に上向きの状態とされてもよい。
【００５５】
また筐体の形状も特に薄い直方体状に限られるものではなく、その他の形状に形成された筐体を取付器具に取り付ける構造に対しても本発明は適用可能である。
【００５６】
さらに本発明による照明器具の取付構造は、複数の取付器具を１次元あるいは２次元方向に並べて配設し、それぞれの取付器具に照明器具を取り付けるように構成することも可能である。
【符号の説明】
【００５７】
１    照明器具
５    取付器具
１０    筐体
１１    筐体の底面
１１ａ、１１ｂ  筐体底面の長孔
１２    筐体の一側面
１３    筐体の他側面
１４    筐体の前面
１４ａ、１４ｂ  筐体前面の長孔
１５    発光体
１６    枠体
１６ａ  枠体の内面
１７〜２０  受電端子
２１    筐体の溝
２２    スライド部材
２３    操作部
２４    張出部材
２４ａ  張出部材の前端面
２５    係合部
２５ａ  係合部の内面
２５ｂ  係合部の端面
２６    圧縮コイルバネ
３２    筐体の上側面
３３    筐体の下側面
３４    丸穴
３５    コイルバネ
４１〜４４    凹部
５０    取付器具の表面
５１    取付器具の側面
５２、１５２    張出部材通過穴
５２ａ  張出部材通過穴の内壁
５３、１５３    係合穴
５３ａ、１５３ａ  係合穴の内壁
５４    突起
５７〜６０  給電端子
６１〜６４  凸部
９０    凸部
【図１】
2014160602.tif 000003
【図２】
2014160602.tif 000004
【図３】
2014160602.tif 000005
【図４】
2014160602.tif 000006
【図５】
2014160602.tif 000007
【図６】
2014160602.tif 000008
【図７】
2014160602.tif 000009
【図８】
2014160602.tif 000010
【図９】
2014160602.tif 000011